(57)【要約】【課題】商品を購入した者のみに所定のサービスを提供することができるサービス提供システムを提供する。【解決手段】発行済みの商品に印刷され、該商品を一意に特定することが可能なシリアル情報が記憶された発行済シリアル情報記憶手段と、シリアル情報と提供対象のコンテンツが関連付けられて記憶されたコンテンツデータベースと、前記商品購入者の端末から送信した該商品に印刷されたシリアル情報を受信して、該シリアル情報が前記発行済シリアル情報記憶手段に記憶されているか否かに基づいて、該シリアル情報の妥当性を判定するシリアル情報判定手段と、前記シリアル情報の妥当性判定の結果、発行済みのシリアル情報である場合に、該シリアル情報に関連付けられたコンテンツデータを前記コンテンツデータベースから読み出して、該コンテンツデータを前記商品購入者の端末に対して送信するサービス提供手段とを備える。【選択図】    図１
2005025348.tif 000002
【特許請求の範囲】
【請求項１】
商品購入者のみに所定のサービスを提供するサービス提供システムであって、
発行済みの商品に印刷され、該商品を一意に特定することが可能なシリアル情報が記憶された発行済シリアル情報記憶手段と、
シリアル情報と提供対象のコンテンツが関連付けられて記憶されたコンテンツデータベースと、
前記商品購入者の端末から送信した該商品に印刷されたシリアル情報を受信して、該シリアル情報が前記発行済シリアル情報記憶手段に記憶されているか否かに基づいて、該シリアル情報の妥当性を判定するシリアル情報判定手段と、
前記シリアル情報の妥当性判定の結果、発行済みのシリアル情報である場合に、該シリアル情報に関連付けられたコンテンツデータを前記コンテンツデータベースから読み出して、該コンテンツデータを前記商品購入者の端末に対して送信するサービス提供手段と
を備えたことを特徴とするサービス提供システム。
【請求項２】
前記サービス提供手段は、
前記コンテンツデータベースから読み出したコンテンツデータに対して、前記シリアル情報を電子透かしとして埋め込むことを特徴とする請求項２に記載のサービス提供システム。
【請求項３】
前記商品は、トレーディングカードであることを特徴とする請求項１または２のいずれかに記載のサービス提供システム。
【請求項４】
発行済みの商品を一意に特定することが可能な商品を発行する商品発行装置であって、
使用可能なシリアル情報が予め記憶されたシリアル情報記憶手段と、
前記商品の印刷情報が予め記憶された印刷情報データベースと、
発行済みのシリアル情報を記憶する発行済シリアル情報記憶手段と、
前記印刷情報データベースに記憶されている印刷情報を選択して読み出し、該印刷情報を読み出す度に新たなシリアル情報を前記シリアル情報記憶手段より読み出して出力するとともに、読み出したシリアル情報を前記発行済シリアル情報記憶手段に記憶するシリアル情報発行手段と、
前記シリアル情報と前記印刷情報を入力し、該シリアル情報と印刷情報に基づいて印刷を行う印刷手段と
を備えたことを特徴とする商品発行装置。
【請求項５】
前記商品は、トレーディングカードであることを特徴とする請求項４に記載の商品発行装置。
【発明の詳細な説明】
【０００１】
【発明の属する技術分野】
本発明は、商品購入者のみに所定のサービスを提供するサービス提供システムに関する。
【０００２】
【従来の技術】
従来から商品にＵＲＬ等の情報を記載しておき、インターネットを介して、商品購入者に対して所定のサービスを提供する方法が知られている。また、商品のキャンペーンラベル等にＩＤ番号やＵＲＬに相当する情報を複合させた符号からなる応募コードを付与しておき、この応募コードを入力することにより、キャンペーンラベルの供給業者のデータベースサーバに直接アクセスして応募結果を確認できるようにしたシステムがある（特許文献１）。
【０００３】
【特許文献１】
特開２００２−３１８８７８号公報
【０００４】
【発明が解決しようとする課題】
しかしながら、特許文献１に示すシステムにあっては、符号化することにより商品を購入していない者が不正に応募することを防止できるが、応募しようとする者が端末からＩＤ等を手で入力しなければならないとともに、端末内に特別なソフトウェアをインストールしなければならず、簡単に応募することができないという問題がある。また、同一の種類の商品には、同一のコードが付与されていることが多いため、購入した商品のコードを他人から教えてもらえば、同様なサービスを受けることができてしまい、商品の売り上げ向上に寄与しないという問題もある。
【０００５】
本発明は、このような事情に鑑みてなされたもので、商品を購入した者のみに所定のサービスを提供することができるサービス提供システムを提供することを目的とする。
【０００６】
【課題を解決するための手段】
請求項１に記載の発明は、商品購入者のみに所定のサービスを提供するサービス提供システムであって、発行済みの商品に印刷され、該商品を一意に特定することが可能なシリアル情報が記憶された発行済シリアル情報記憶手段と、シリアル情報と提供対象のコンテンツが関連付けられて記憶されたコンテンツデータベースと、前記商品購入者の端末から送信した該商品に印刷されたシリアル情報を受信して、該シリアル情報が前記発行済シリアル情報記憶手段に記憶されているか否かに基づいて、該シリアル情報の妥当性を判定するシリアル情報判定手段と、前記シリアル情報の妥当性判定の結果、発行済みのシリアル情報である場合に、該シリアル情報に関連付けられたコンテンツデータを前記コンテンツデータベースから読み出して、該コンテンツデータを前記商品購入者の端末に対して送信するサービス提供手段とを備えたことを特徴とする。
【０００７】
請求項２に記載の発明は、前記サービス提供手段は、前記コンテンツデータベースから読み出したコンテンツデータに対して、前記シリアル情報を電子透かしとして埋め込むことを特徴とする。
【０００８】
請求項３に記載の発明は、前記商品は、トレーディングカードであることを特徴とする。
【０００９】
請求項４に記載の発明は、発行済みの商品を一意に特定することが可能な商品を発行する商品発行装置であって、使用可能なシリアル情報が予め記憶されたシリアル情報記憶手段と、前記商品の印刷情報が予め記憶された印刷情報データベースと、発行済みのシリアル情報を記憶する発行済シリアル情報記憶手段と、前記印刷情報データベースに記憶されている印刷情報を選択して読み出し、該印刷情報を読み出す度に新たなシリアル情報を前記シリアル情報記憶手段より読み出して出力するとともに、読み出したシリアル情報を前記発行済シリアル情報記憶手段に記憶するシリアル情報発行手段と、前記シリアル情報と前記印刷情報を入力し、該シリアル情報と印刷情報に基づいて印刷を行う印刷手段とを備えたことを特徴とする。
【００１０】
請求項５に記載の発明は、前記商品は、トレーディングカードであることを特徴とする。
【００１１】
【発明の実施の形態】
以下、本発明の一実施形態によるサービス提供システム及び商品発行装置を図面を参照して説明する。図１は同実施形態の構成を示すブロック図である。この図において、符号１は、商品（カード）購入者のみに所定のサービスを提供するための商品（カード）を印刷・発行するカード発行装置である。符号２は、商品購入者に対して所定のサービスを提供するサービスサーバである。符号３は、商品購入者が所有するパソコン等で構成される端末であり、商品に印刷された情報または商品に備えられた情報記憶手段の情報を読み取る読み取り装置である。この読み取り装置は、バーコードリーダ、ＲＦＩＤリーダ、ＩＣチップの情報を読み取るリーダ等である。符号４はインターネットであり、カード発行装置１、サービスサーバ２、端末３が接続されており、相互に通信可能である。符号５は、商品であり、以下の説明においては、商品としてトレーディングカードを例にして説明する。トレーディングカードとはスポーツ選手等の写真や絵柄を印刷したカードのことであり、例えば、日本プロ野球のセ、パ両リーグすべての野球選手が印刷されているものである。通常、トレーディングカードは、１枚〜数枚のカードが１つの包装袋に入れられて販売されることが多く、内容物は購入して開封するまで分からないのが一般的である。
【００１２】
符号１１は、トレーディングカード５に印刷するシリアル番号を発行するシリアル番号発行部である。符号１２は、使用可能なシリアル番号が予め記憶されているシリアル番号記憶部である。符号１３は、トレーディングカード５に印刷する絵柄が記憶された絵柄データベースである。符号１４は、シリアル番号発行部１１が読み出したシリアル番号と絵柄データを受け取り、トレーディングカード５を印刷する印刷装置である。符号１５は、シリアル番号発行部１１において発行済みのシリアル番号を記憶する発行済シリアル番号記憶部である。符号１６は、サービスサーバ２からの問い合わせに対して、シリアル番号の妥当性を判定するシリアル番号判定部である。
【００１３】
符号２１は、端末３からのサービス提供要求を受けて、トレーディングカード５に印刷されたシリアル番号の認証を行う認証部である。符号２２は、一度認証したシリアル番号を記憶しておくシリアル番号記憶部である。符号２３は、シリアル番号の認証がされた場合に、端末３に対してサービスを提供するためのコンテンツを送信するサービス提供部である。符号２４は、シリアル番号毎のコンテンツを記憶するコンテンツデータベースである。
【００１４】
次に、図１に示すカード発行装置１がトレーディングカード５を発行する動作を説明する。まず、オペレータが図示しない入力部より印刷を行う絵柄を選択する。これを受けて、シリアル番号発行部１１は、選択された絵柄のデータを絵柄データベース１３から読み出すとともに、シリアル番号記憶部１２からシリアル番号を１つ読み出す。そして、シリアル番号発行部１１は、読み出した絵柄データとシリアル番号を印刷装置１４へ出力する。これを受けて、印刷装置１４は、１枚のトレーディングカード５を印刷する。これにより、トレーディングカード５には、図４に示すように、用紙の表面に絵柄が印刷されるともに、シリアル番号が印刷される。
【００１５】
ここで、図３を参照して、本発明で使用するシリアル番号について説明する。図３に示すように、シリアル番号は、１６桁の数字列である。上位の４桁が絵柄を表す絵柄コードであり、続いて絵柄コード毎の通番（順番号）、下位の５桁がチェック用の番号である。トレーディングカード５は、４桁の絵柄コードと７桁の通番で１枚の個体を一意に特定できるが、トレーディングカード５を購入していない者が不正にサービスを受けようとすることを防止するために５桁のチェック用の番号が付加されている。このチェック用番号を付加することにより、容易にシリアル番号を類推できないようにしている。
【００１６】
なお、シリアル番号は、図３に示す数字列をバーコード化してトレーディングカード５に印刷したり、さらには、このシリアル番号をＲＦＩＤやＩＣチップに書き込み、このＲＦＩＤやＩＣチップをトレーディングカード５内に埋め込むようにしてもよい。また、シリアル番号は、数字列を用いたが、文字列であってもよい。さらに、上記では１６桁のコードを絵柄コード、絵柄コードの通番、チェック用の番号に分けたが、特にこのように分けず、１６桁全てを任意選択した数字または文字の組み合わせとしてもよく、容易に類推できないものでものであればよい。１６桁全てが数字の組み合わせである場合、不連続な数字であっても構わないのはもちろんである。ただし、１枚のトレーディングカード５を一意に特定することができる数字列や文字列を割り当てる必要がある。
【００１７】
次に、図２を参照して、トレーディングカード５を購入した者がサービスを受ける動作を説明する。図２は、トレーディングカード５を購入した者がサービスを受ける場合の各装置の動作を示すシーケンス図である。
まず、トレーディングカード５の購入者は、購入したトレーディングカード５の包装袋等に記載されたＵＲＬ（サービスサーバ２のＵＲＬ）を端末３から入力し、接続要求を送信する（ステップＳ１）。これを受けて、認証部２１は、端末３に対して、シリアル番号入力要求を送信する（ステップＳ２）。この要求に対して、購入者は、端末３よりトレーディングカード５に印刷されているシリアル番号を入力する。端末３は、このシリアル番号入力を受けて、入力されたシリアル番号を認証部２１に対して送信する（ステップＳ３）。
【００１８】
次に、認証部２１は、このシリアル番号を受信し、このシリアル番号がシリアル番号記憶部２２に既に記憶されているか否かを判定する。この判定の結果、既に記憶されている場合は、端末３に対して既にサービス提供を行った旨を通知する。一方、端末３から送信されたシリアル番号がシリアル番号記憶部２２に記憶されていない場合、認証部２１は、端末３から送信されたシリアル番号を含むシリアル番号判定要求を、シリアル番号判定部１６へ送信する（ステップＳ４）。これを受けてシリアル番号判定部１６は、シリアル番号の妥当性を判定するため、シリアル番号判定要求に含まれるシリアル番号を抽出し、このシリアル番号と発行済シリアル番号記憶部１５とを照合し、抽出したシリアル番号が発行済シリアル番号記憶部１５に記憶されているか否かを判定する（ステップＳ５）。そして、シリアル番号判定部１６は、この判定結果を認証部２１へ送信する（ステップＳ６）。
【００１９】
認証部２１は、この判定結果を受信し、入力したシリアル番号が発行済みのものでない場合、端末３に対して、発行済みのシリアル番号でないため、サービスの提供をすることができない旨を通知する。一方、入力したシリアル番号が発行済みのものである場合、端末３に対して、シリアル番号の認証ができたため、サービスの提供を行う旨を通知する（ステップＳ７）。
【００２０】
次に、認証部２１は、入力したシリアル番号が発行済みのものである場合のみ、サービス提供部２３に対して、サービス提供要求を送信する（ステップＳ８）。この要求には、認証されたシリアル番号が含まれる。また、認証部２１は、対象のシリアル番号に対して、既にサービスを提供したことの意味でこのシリアル番号をシリアル番号記憶部２２に記憶する。
【００２１】
次に、サービス提供部２３は、サービス提供要求に含まれるシリアル番号に対応するコンテンツをコンテンツデータベース２４より選択する（ステップＳ９）。そして、サービス提供部２３は、選択したコンテンツを端末３に対して送信する（ステップＳ１０）。このとき、サービス提供部２３は、送信するコンテンツデータに認証済みのシリアル番号を電子透かしとして埋め込む処理を施してから端末３へ送信する。このようにして、端末３において、購入したトレーディングカード５に応じたサービスを受けることができる。
【００２２】
なお、コンテンツデータベース２４内に記憶されているコンテンツは、１つの絵柄コードに１つのコンテンツデータを関連付け（同じ絵柄であれば同じコンテンツ）しておいてもよいし、絵柄コードと通番で特定される１枚のトレーディングカード５に１つのコンテンツを関連付け（同じ絵柄でも異なるコンテンツ）しておいてもよい。同じ絵柄でも異なるコンテンツを提供するようにすれば、購入者の購入意欲をさらに向上させることが可能となる。
【００２３】
例えば、野球選手のトレーディングカードである場合、１人の選手であっても選手のプロフィールや過去の成績に関するテキストデータからなるコンテンツ、選手が使用している用具の静止画像データからなるコンテンツ、選手個人の応援歌の音声データからなるコンテンツ、選手のプレー中の動画像データからなるコンテンツ等をシリアル番号に関連付けておけば、全チームの全選手の絵柄を集める楽しみと、１選手のすべてのコンテンツを集める楽しみがあるため、トレーディングカードの売上向上を見込むことが可能となる。
【００２４】
また、前述した説明では、対象の商品をトレーディングカードとして説明したが、書籍や雑誌、さらには、商品の包装紙、梱包箱にシリアル番号が印刷されていてもよい。
【００２５】
このように、商品の１つの個体を特定することができるシリアル番号を商品に印刷したため、端末に特別なソフトウェア等をインストールすることなしに商品を購入した者のみに所定のサービスを提供することができる。また、同じ種類の商品であっても異なるサービスを提供できるようにしたため、購入意欲を向上させることが可能となり、商品の売り上げ向上に寄与することが可能となる。
【００２６】
なお、図１における各処理部の機能を実現するためのプログラムをコンピュータ読み取り可能な記録媒体に記録して、この記録媒体に記録されたプログラムをコンピュータシステムに読み込ませ、実行することによりサービス提供処理及び商品製造処理を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００２７】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００２８】
【発明の効果】
以上説明したように、この発明によれば、商品の１つの個体を特定することができるシリアル番号を商品に印刷したため、端末からＩＤ等を手で入力することなく、また端末内に特別なソフトウェアをインストールすることなしに商品を購入した者のみに所定のサービスを提供することができる。また、同じ種類の商品であっても異なるサービスを提供できるようにしたため、購入意欲を向上させることが可能となり、商品の売り上げ向上に寄与することが可能になるという効果が得られる。
【図面の簡単な説明】
【図１】本発明の一実施形態の構成を示すブロック図である。
【図２】図１に示す装置の動作を示すシーケンス図である。
【図３】シリアル番号の構成を示す説明図である。
【図４】トレーディングカード５の外観を示す説明図である。
【符号の説明】
１・・・カード発行装置
１１・・・シリアル番号発行部
１２・・・シリアル番号記憶部
１３・・・絵柄データベース
１４・・・印刷装置
１５・・・発行済シリアル番号記憶部
１６・・・シリアル番号判定部
２・・・サービスサーバ
２１・・・認証部
２２・・・シリアル番号記憶部
２３・・・サービス提供部
２４・・・コンテンツデータベース
３・・・端末
３１・・・読み取り装置
４・・・インターネット
５・・・トレーディングカード
【図１】
2005025348.tif 000003
【図２】
2005025348.tif 000004
【図３】
2005025348.tif 000005
【図４】
2005025348.tif 000006